(57)【要約】      （修正有）【課題】量産化しやすく、消火能力が高く、長期保存しても消火能力が低下しない安定した消火剤の製造方法とする。【解決手段】消火用具に入れる消火剤の製造方法であって、純水に塩化ナトリウムを入れて溶解する工程と、リン酸二アンモニウムを入れて溶解する工程と、炭酸水素ナトリウムを入れて溶解する工程と、尿素を入れて溶解する工程と、硫酸アンモニウムを入れて溶解する工程と、更に界面活性剤を入れる工程を備え、同時にそれらの溶液の粒子を超微細化し混合する工程を備える製造方法。前記消火剤は、衝撃で割れる容器に充填して、火元に投げ割り消火する消火用具の充填材として用いる。また消火器や、エアゾール式消火用具の消火剤としても利用できる。【選択図】なし【特許請求の範囲】
【請求項１】
消火用具に入れる消火剤の製造方法であって、５００ｍｌから６００ｍｌの純水に塩化ナトリウム１５ｇから２５ｇを入れて溶解する工程と、リン酸二アンモニウムを１００ｇから１５０ｇ入れて溶解する工程と、炭酸水素ナトリウムを５０ｇから８０ｇを入れて溶解する工程と、尿素を５０ｇから７０ｇ入れて溶解する工程と、硫酸アンモニウムを９０ｇから１１０ｇ入れて溶解する工程と、更に界面活性剤を２％から４％を入れる工程を備えることを特徴とする消火剤の製造方法。
【請求項２】
請求項１の消化剤は各溶液の粒子を超微細化し混合する工程を備えることを特徴とする消火剤の製造方法。
【発明の詳細な説明】
【技術分野】
【０００１】  本発明は、火災発生時の初期消火、延焼防止に使用する消火用具の消火剤の製造方法に関するものである。
【背景技術】
【０００２】  従来の床置き式消火器とは別に、消火剤が封入してある容器を容器ごと火元に投げ入れて消火する投てき式の消火用具も使用されるようになってきた。その理由としては、床置き式消火器は操作が難しく、実際の消火時に使用することは困難であるのに対し、投てき式の消火用具は単に投げ込むだけで消火できることの簡便性によるものと考えられる。【０００３】  この消火剤の製造方法を開示した特許が出願されている。（例えば、特許文献１、特許文献２）【０００４】  しかしながら、これらの製造方法は、各溶液に最適な温度調整をしながら順次溶解させるという方法で、それぞれの適温が異なるので量産には不向きである。【０００５】  また、各成分の混合状態が不安定なので長期保存すると消火性能が低下するという問題がある。
【先行技術文献】
【特許文献】
【特許文献１】特開２００１−３７９０１号
【特許文献２】特開２００５−２８８０５９号
【発明の概要】
【発明が解決しようとする課題】
【０００６】  本発明は上記のような問題点を解決して、量産しやすく、消火能力が高く、長期保存しても消火能力が低下しない安定した消火剤の製造方法を提供することを目的としたものである。
【課題を解決するための手段】
【０００７】  消火用具に入れる消火剤の製造方法であって、５００ｍｌから６００ｍｌの純水に塩化ナトリウム１５ｇから２５ｇを入れて溶解する工程と、リン酸二アンモニウムを１００ｇから１５０ｇ入れて溶解する工程と、炭酸水素ナトリウムを５０ｇから８０ｇを入れて溶解する工程と、尿素を５０ｇから７０ｇ入れて溶解する工程と、硫酸アンモニウムを９０ｇから１１０ｇ入れて溶解する工程と、更に界面活性剤を２％から４％を入れる工程を備えることを特徴とするものである。【０００８】  消化剤の各溶液の粒子を超微細化し混合する工程を備えることを特徴とするものであり、これを請求項２に係る発明とする。
【発明の効果】
【０００９】  本発明では、消化剤の各溶液の粒子を超微細化し混合する工程を備えることで各溶液を順次溶解する時の温度調整が不要で溶解密度を高め混合することが可能である。そのため、量産がしやすく、消火能力が高く、長期保存しても消火能力が低下しない安定した消火剤ができる。
【発明を実施するための最良の形態】
【００１０】  本発明の実施の形態を以下に示す。
先ず、純水と塩化ナトリウムを溶解する。純水を使用するのは、水の不純物を排除し、溶解密度を高めること、超微細化装置に不純物が悪影響を与えないためである。また、この塩化ナトリウムは、消火剤の凝固点を降下させる作用を発揮する。【００１１】  純水とリン酸二アンモニウムを溶解し、更に、炭酸水素ナトリウムを溶解する。このリン酸二アンモニウムと炭酸水素ナトリウムの混合物は、消火の際、火災の熱に反応して炭酸ガスとアンモニアガスに熱分解される。そして、炭酸ガスは燃焼物への酸素を遮断し、燃焼物の酸化を中和して抑える作用を発揮し、一方、アンモニアガスは冷却効果で燃焼物の温度を降下させるとともに、アルカリ性の性状を持つので燃焼物の酸化を中和して消火する作用を発揮する。【００１２】  次に、先の溶液と尿素と硫酸アンモニウムを溶解する。この硫酸アンモニウムは、木材や紙等の発火点を上昇させる効果を有するので、消火後の再燃焼を防止することができ、安全性を高めることとなる。尿素は燃焼物表面の表面張力を小さくし、消化剤を浸透させる効果がある。【００１３】  次に、前記の各混合溶液と界面活性剤を同時に超微細化装置で超微細化しながら溶解する。この超微細化装置は、各溶液の粒子を超微細化することで溶解密度を高め混合することが可能である。また、界面活性剤は、物質を均一に混合させる働きをし、表面張力を弱める作用を持っている。【００１４】  前記各成分の添加量は、消火剤の全体量を５００ｍｌとした場合に、塩化ナトリウムを１５ｇから２５ｇ、リン酸二アンモニウムを１００ｇから１５０ｇ、炭酸水素ナトリウムを５０ｇから８０ｇ、硫酸アンモニウムを９０ｇから１１０ｇ、尿素を５０ｇから７０ｇ、界面活性剤を２％から４％とする。
この５００ｍｌから６００ｍｌは、投てき型消火用具１本に充填するのに適した量であり、多量に製造する場合は比率が同じになるように調合すればよい。【００１５】  本発明により製造した消火剤は、消火器に充填して使用できることは勿論であるが、消火能力が向上しているので投てき型の消火器に適用しても十分な消火活動をすることができる。投てき型の消火器は、衝撃で簡単に割れる容器に５００ｍｌから６００ｍｌの消火剤を充填して、火災時に火元に投げ入れて容器を破壊させ消火剤を散布させるものであり、訓練をしなくても誰もが使用することができ、より早く初期消火活動が行えることとなる。また、溶液が超微細化されているので長期保存が可能である。
【実施例】
【００１６】  本発明により製造した消火剤５００ｍｌを、衝撃で破壊する容器に充填して、消防法で定められたＡ火災の消火実験を外気温度−２０℃と４０℃の場所で行ったところ、共に１本で完全に消火出来た。【００１７】  本発明により製造した消火剤５００ｍｌを、衝撃で破壊する容器に充填して、消防法で定められたＢ火災の消火実験を外気温度−２０℃と４０℃の場所で行ったところ、共に１本で完全に消火できた。【００１８】  本発明により製造した消火剤５００ｍｌを、衝撃で破壊する樹脂容器に充填した物を４０℃の雰囲気中に入れて２４時間放置したあとに、−２０℃の雰囲気中に２４時間放置し、常温の２０℃に２４時間放置した。
各温度で２時間毎に容器の状態を観察したところ、容器の膨張、消火剤の凍結による割れ、変形等は確認されなかった。
通常、消火用具の使用温度範囲は−２０℃から４０℃とすることが望ましいので、本発明により製造した消火剤は、この条件を満たしていることが確認出来た。
【産業上の利用可能性】
【００１９】  本発明により製造された消火剤は、消火器やエアゾール式消火用具、衝撃で割れる容器に充填して、火元に投げ割り消火する消火用具に使用される。